(57)【要約】【課題】設置が簡単であり、また設置後の目幅の変更や補修作業も簡単に行うことができるようにする。【解決手段】所望間隔で複数のスプロケットを配設した駆動軸と円盤状のガイドローラを配設した従動軸を対向させて配置し、対向するスプロケットとガイドローラの間にチェーンを巻回し、各チェーンはそれぞれ複数のスプロケットにより駆動される幅とするとともに、各チェーンには任意箇所にゴミ掻き揚げ用の爪を設け、また一本のチェーンは両サイドのリンクプレートに加え幅方向の中央部にもセンターリンクプレートを設け、あるいは除塵機設置時に流入側となるチェーンの裏側に細幅のガイドレールを、少なくとも一本のチェーンに対し複数のガイドレールが位置するように設ける。【選択図】図１
2007092289.tif 000002
【特許請求の範囲】
【請求項１】
所望間隔で複数のスプロケットを配設した駆動軸と円盤状のガイドローラを配設した従動軸を対向させて配置し、対向するスプロケットとガイドローラの間にチェーンを巻回し、各チェーンはそれぞれ隣接する複数のスプロケットにより駆動される幅とするとともに、各チェーンには任意箇所にゴミ掻き揚げ用の爪を設けたことを特徴とする除塵機。
【請求項２】
一本のチェーンは両サイドのリンクプレートに加え幅方向の中央部にもセンターリンクプレートを設けてある請求項１記載の除塵機。
【請求項３】
除塵機設置時に流入側となるチェーンの裏側に細幅のガイドレールを、少なくとも一本のチェーンに対し複数のガイドレールが位置するように設けた請求項１記載の除塵機。
【発明の詳細な説明】
【技術分野】
【０００１】
この発明は、河川や水路等を流れるゴミを除去するための除塵機に関するものであり、特に設置が簡単であり、また設置後の目幅の変更や補修作業も簡単に行うことができるようにしたものである。
【背景技術】
【０００２】
スクリーンを回転させる除塵機としては、一枚の長尺なネットスクリーンを回転させるものや、このネットスクリーンを長さ方向に分割しフレーム両側に設けたエンドレスチェーンの間に架設したものがある。
【０００３】
また、駆動軸と従動軸に対向させてそれぞれ複数のスプロケットを配設し、各対向するスプロケット一組ごとにそれぞれ無端チェーンを掛け回すようにしたものもある。
【０００４】
【特許文献１】特開平８−１１３９３０号公報
【特許文献２】特開２００５−２４８５６３公報
【特許文献３】特開２００４−３１６４００公報
【発明の開示】
【発明が解決しようとする課題】
【０００５】
しかし、ネットスクリーンを回転させる方式の場合は、長尺なネットを張設する必要から水路工事時などに同時に設置工事を行う必要がある。また、一旦設置した後にはスクリーンの目幅を変更することはできず、スクリーンが破損したような場合の補修作業も大がかりなものとなる。
【０００６】
一方、対向させたスプロケット一組ごとににチェーンを掛け回しこのチェーンによりスクリーンを構成するようにしたものの場合、使用できるチェーンの幅はスプロケットの厚みにより決定され極く狭いものしか使用できず、したがって大きな幅のスクリーンをチェーンでもって構成しようとする場合には多数のスプロケットとチェーンが必要となる。また、隣接するチェーンの間の間隔は調節可能であるが、チェーン自体は一枚のスプロケットに丁度嵌合する幅のものを使用するので、その間に入り込んだゴミは除去しにくく、結果としてチェーンに係る負担が大きなものとなり、チェーンをスムーズに回転させるのが困難となる。
【課題を解決するための手段】
【０００７】
すなわち、チェーンによりスクリーンを構成するようにすると、ネットスクリーンを使用する場合に比べ、各部品が小さくなるので設置工事が簡単に行うことが可能となり、またチェーンの間隔を変更することにより目幅の変更を設置後に行うこともできる。
【０００８】
しかし、一枚のスプロケットにその厚さに合ったチェーンを嵌合させたのでは、チェーンの幅が狭くなりその部分にゴミが詰まり易い。また、必要とするスプロケットとチェーンの数も多くなり組立も保守も大変なものとなってしまう。
【０００９】
すなわち、一本のチェーンを隣接する複数のスプロケットに嵌合させて駆動させるようにすれば、チェーンの幅を広くすることができチェーンを構成するリンクピンの長さを適当に選択することが可能となり、除塵に適した目幅のスクリーンをチェーンにより構成することが可能となる。
【００１０】
そこで、この発明に係る除塵機は前記課題を解決するために、所望間隔で複数のスプロケットを配設した駆動軸と円盤状のガイドローラを配設した従動軸を対向させて配置し、対向するスプロケットとガイドローラの間にチェーンを巻回し、各チェーンはそれぞれ隣接する複数のスプロケットにより駆動される幅とするとともに、各チェーンには任意箇所にゴミ掻き揚げ用の爪を設けた（請求項１）ものである。
【００１１】
また、一本のチェーンは両サイドのリンクプレートに加え幅方向の中央部にもセンターリンクプレートを設け（請求項２）、あるいは除塵機設置時に流入側となるチェーンの裏側に細幅のガイドレールを、少なくとも一本のチェーンに対し複数のガイドレールが位置するように設けた（請求項３）ものである。
【発明の効果】
【００１２】
スクリーンを一本ずつに分離されたチェーンにより構成するようにしたので、個々の部品は小さいので除塵機の設置現場において簡単に組立工事が行える。一方、各チェーンは隣接する複数のスプロケットにより駆動される幅のものとしたので、チェーンのリンクピンの長さをスプロケットの厚みとは関係なしに広くすることができ、したがってチェーンで構成されるスクリーンの目幅を任意に選択することが可能となる。したがって、リンクプレートの間のゴミ詰まりを防止でき、チェーンに対する水圧も大きくならないのでチェーンを容易に回転させることが可能となる。
【発明を実施するための最良の形態】
【００１３】
複数のスプロケットを駆動軸に配設し、このスプロケットに対向するように従動軸に円盤状のガイドローラを配設する。そして、対向するスプロケットとガイドローラの間にチェーンを巻回する。巻回する各チェーンは一本ごとに隣接する複数のスプロケットに嵌合させて駆動されるようにする。また、一本のチェーンは両サイドのリンクプレートに加え幅方向の中央部にもセンターリンクプレートを設ける。そして、各チェーンには任意箇所にゴミ掻き揚げ用の爪を設ける。
【００１４】
また、除塵機設置時に流入側となるチェーンの裏側に細幅のガイドレールを、少なくとも一本のチェーンに対し複数のガイドレールが位置するように設ける。
【実施例】
【００１５】
１はスプロケット２を複数配設した駆動軸であり、任意の駆動源によりスプロケット２が回転するようにしてある。３は円盤状のガイドローラ４を複数配設した従動軸である。駆動軸１に配設した複数のスプロケット２と、従動軸３に配設したガイドローラ４はそれぞれが相対向する位置に設けてある。そして、これら駆動軸１と従動軸３はそれぞれフレーム５に取り付けてある。
【００１６】
６はチェーンであり、対向するスプロケット２とガイドローラ４の間にエンドレスに巻回してある。チェーン６は両サイドのリンクプレート７とリンクプレート７をつなぐリンクピン８により組み立ててある。またリンクピン８の中央にもセンターリンクプレート９が設けてあり、両サイドのリンクプレート７とセンターリンクプレート９の間のリンクピン８の外周にはそれぞれローラ１０が配してある。また、リンクプレート７やセンターリンクプレート９は所望間隔でゴミ掻き揚げ用の爪付リンクプレート１１としてある。
【００１７】
そして、ローラ１０はチェーン１回転時にそれぞれ駆動軸１のスプロケット２に嵌合するようになっているとともに、該スプロケット２に対向する従動軸３のガイドローラ４にも接触回転するようになっている。チェーン１は常時複数（図示した例では２枚であるが、２枚に限定されるものではない。）のスプロケット２やガイドローラ４により支持されるので、回転時にチェーン１に負荷がかかっても傾いたりせずスムーズな回転が可能となる。従動軸２側は単なるガイドローラ４としてあるので、スプロケット２とガイドローラ４の回転は同期する必要がないので、チェーン１は駆動軸１を回転させるのみでスムーズに回転させることができる。
【００１８】
チェーン６は、センタリンクプレート９と両サイドのリンクプレート７の間に位置しているそれぞれのローラ４が、スプロケット２とガイドローラ４により支持されることになるので、スプロケット２やガイドローラ４の取り付け間隔によりチェーン６の幅を任意に選択することが可能となる。また、チェーン６は簡単に組立や取り外しができるので、一旦スプロケット２とガイドローラ４の間に巻回したチェーンでも取り外すことができるので、ゴミの大きさ等に対応させてチェーン６の巻回位置を隣接するスプロケット２とガイドローラ４に変更すことができ、チェーン６による目幅を除塵機設置後でも容易に変更することができる。
【００１９】
１２はガイドレールであり、除塵機設置時に流入側となるチェーン６の裏側に、それぞれのローラ４に若干間隙をもたせて設けてある。ガイドレール１２は細幅のレールであり、駆動軸１と従動軸３の間のほぼ全長〜半分位の長さにわたって設けるようにする。除塵機運転時にチェーン６に負荷がかかった時にローラ４と接触することによりチェーン６の撓みを防止するとともに、場合によってはリンクプレート７やセンターリンクプレート９の側面と接触することによりチェーン６が回転時に左右にぶれることを防止している。
【００２０】
また、チェーン１にはさまって回収されたゴミをチェーン１から取り除くために、駆動軸１より若干下側の流入側と反対側となる箇所にスクレーパを設けてよい。スクレーパの例としては図１１と図１２に示すように、刃型スクレーパ１３の刃先がローラ１０に近接するように各ローラー１０ごとに配設する。あるいは、図１３と図１４に示すように回転軸１４に放射状に回転スクレーパ１５を、先端がローラ１０に近接して回転するように各ローラー１０ごとに対応する位置に配設してもよい。
【産業上の利用可能性】
【００２１】
除塵機全体を設置現場で簡単に組み立てることができるので、既に水路ができているような場所でも設置することができ、また目幅の変更も簡単に行うことができるため、設置場所に制限を受けにくく、幅広い箇所において設置可能である。
【図面の簡単な説明】
【００２２】
【図１】本発明に係る除塵機の側面図である。
【図２】図１の正面図である。
【図３】チェーンで構成されるスクリーン詳細説明図であり、図の左半分は駆動軸側を示す平面図であり右半分は従動軸側を示す底面図である。
【図４】チェーンの詳細を示す正面図である。
【図５】図４の平面図である。
【図６】駆動軸の詳細を示す正面図である。
【図７】図６の側面図である。
【図８】従動軸の詳細を示す正面図である。
【図９】ガイドレールの取り付け状態を示す側面図である。
【図１０】ガイドレールの正面図である。
【図１１】スクレーパ部の詳細を示す側面図である。
【図１２】スクレーパ部の詳細を示す平面図である。
【図１３】回転式スクレーパ部の詳細を示す側面図である。
【図１４】回転式スクレーパ部の詳細を示す平面図である。
【符号の説明】
【００２３】
１  駆動軸
２  スプロケット
３  従動軸
４  ガイドローラ
５  フレーム
６  チェーン
７  リンクプレート
８  リンクピン
９  センターリンクプレート
１０  ローラ
１１  爪付リンクプレート
１２  ガイドレール
１３  刃型スクレーパ
１４  回転軸
１５  回転スクレーパ
【図１】
2007092289.tif 000003
【図２】
2007092289.tif 000004
【図３】
2007092289.tif 000005
【図４】
2007092289.tif 000006
【図５】
2007092289.tif 000007
【図６】
2007092289.tif 000008
【図７】
2007092289.tif 000009
【図８】
2007092289.tif 000010
【図９】
2007092289.tif 000011
【図１０】
2007092289.tif 000012
【図１１】
2007092289.tif 000013
【図１２】
2007092289.tif 000014
【図１３】
2007092289.tif 000015
【図１４】
2007092289.tif 000016